(57)【要約】  セカンドデバイスを利用してＴＶスクリーン上に提供されるコンテンツをキャプチャし、これをソーシャルサービスと連結することができる方法およびそのシステムを開示する。キャプチャサービスシステムは、ユーザが第１端末で再生中のコンテンツに対して第２端末を利用してキャプチャを要請すると、前記第２端末またはユーザが登録されたソーシャルサービスサーバからユーザのプロフィール情報を獲得するサービスサーバ、およびユーザがキャプチャを要請したコンテンツの著作権情報に応じてコンテンツのイメージまたはビデオをキャプチャするメディアサーバが備えられる。このとき、サービスサーバは、メディアサーバからキャプチャされたイメージまたはビデオを受信して第２端末に提供してもよい。
2015517234.tif 000002
【特許請求の範囲】
【請求項１】
ユーザが第１端末で再生中のコンテンツに対して第２端末を利用してキャプチャを要請すると、前記第２端末または前記ユーザが登録されたソーシャルサービスサーバから前記ユーザのプロフィール情報を獲得するサービスサーバと、
前記ユーザがキャプチャを要請した前記コンテンツの著作権情報に応じて前記コンテンツのイメージまたはビデオをキャプチャするメディアサーバと、
を備え、
前記サービスサーバは、前記メディアサーバから前記キャプチャされた前記イメージまたは前記ビデオを受信して前記第２端末に提供すること
を特徴とする、キャプチャサービスシステム。
【請求項２】
前記サービスサーバは、
前記第２端末から前記コンテンツの識別情報を含んだキャプチャ要請情報を受信し、前記キャプチャ要請情報を前記メディアサーバに伝達し、
前記メディアサーバは、
前記識別情報に該当する前記コンテンツの前記イメージまたは前記ビデオをキャプチャすること
を特徴とする、請求項１に記載のキャプチャサービスシステム。
【請求項３】
前記サービスサーバは、
前記第２端末から前記ユーザの識別情報を含んだキャプチャ要請情報を受信し、前記第１端末に前記コンテンツを提供するコンテンツサーバとの連動によって前記ユーザの識別情報を利用して前記ユーザがキャプチャを要請した前記コンテンツの識別情報を確認した後、前記コンテンツの識別情報と前記キャプチャ要請情報を前記メディアサーバに伝達し、
前記メディアサーバは、
前記サービスサーバから伝達された前記コンテンツの識別情報に該当する前記コンテンツの前記イメージまたは前記ビデオをキャプチャすること
を特徴とする、請求項１に記載のキャプチャサービスシステム。
【請求項４】
前記サービスサーバは、前記ユーザの要請に応じて前記キャプチャされた前記イメージまたは前記ビデオを前記ソーシャルサービスサーバに提供すること
を特徴とする、請求項１に記載のキャプチャサービスシステム。
【請求項５】
前記ソーシャルサービスサーバでは、前記キャプチャされた前記イメージまたは前記ビデオがエンベデッド（ｅｍｂｅｄｄｅｄ）形態またはリンクされたコンテンツ（ｌｉｎｋｅｄ  ｃｏｎｔｅｎｔ）形態で表示されること
を特徴とする、請求項４に記載のキャプチャサービスシステム。
【請求項６】
前記サービスサーバは、
前記第２端末が前記ユーザに対して認証要請するときに、前記ソーシャルサービスサーバとの連動によって前記ユーザを認証する認証モジュールと、
前記第２端末または前記ソーシャルサービスサーバから前記認証された前記ユーザのプロフィール情報を獲得するプロフィール獲得モジュールと、
前記ユーザの認証および前記キャプチャされた前記イメージまたは前記ビデオの表示のために前記ソーシャルサービスサーバと連携するインタフェースを提供するソーシャルサービスインタフェースと、
前記コンテンツのキャプチャのために前記メディアサーバと連携するインタフェースを提供するキャプチャインタフェースと、
前記ソーシャルサービスインタフェースおよび前記キャプチャインタフェースを通じて要請および応答されるサービス利用情報に関する統計情報を収集する統計モジュールと、
を備える、請求項１に記載のキャプチャサービスシステム。
【請求項７】
前記メディアサーバは、
前記キャプチャされた前記イメージまたは前記ビデオの提供のために前記サービスサーバと連携するインタフェースを提供するキャプチャ表示インタフェースと、
前記キャプチャ表示インタフェースを通じて要請および応答されるサービス利用情報に関する統計情報を収集する統計モジュールと、
前記コンテンツの前記著作権情報を把握して前記コンテンツのキャプチャが可能であるか否かを判断する権限判断モジュールと、
前記コンテンツのキャプチャが可能な場合、前記コンテンツの前記イメージまたは前記ビデオをキャプチャするコンテンツキャプチャエンジン
を備える、請求項１に記載のキャプチャサービスシステム。
【請求項８】
第１端末を通じてコンテンツを視聴しているユーザが第２端末を利用して認証を要請すると、前記ユーザが登録されたソーシャルサービスサーバとの連動によって前記ユーザを認証する認証モジュールと、
前記第２端末または前記ソーシャルサービスサーバから前記認証された前記ユーザのプロフィール情報を獲得するプロフィール獲得モジュールと、
前記第２端末から、前記ユーザが前記視聴中の前記コンテンツに対するキャプチャ要請情報が受信されると、前記キャプチャ要請情報をキャプチャエンジンに伝達し、前記キャプチャエンジンから前記キャプチャ要請情報に応じてキャプチャされた前記コンテンツのイメージまたはビデオを受信して前記第２端末または前記ソーシャルサービスサーバのうち少なくとも１つに提供するキャプチャインタフェースと、
を備え、
前記ユーザに前記コンテンツの前記イメージまたは前記ビデオに対する使用権限が付与されること
を特徴とする、サービスサーバ。
【請求項９】
前記キャプチャ要請情報には、前記第２端末の要請に応じて前記第１端末で提供される前記ユーザの識別情報または前記コンテンツの識別情報のうち少なくとも１つが含まれること
を特徴とする、請求項８に記載のサービスサーバ。
【請求項１０】
前記キャプチャ要請情報には、前記第２端末の要請に応じて前記第１端末で提供される前記ユーザの識別情報が含まれ、
前記キャプチャインタフェースは、
前記第１端末に前記コンテンツを提供するコンテンツサーバとの連動によって前記ユーザの識別情報を利用して前記ユーザがキャプチャを要請した前記コンテンツの識別情報を確認した後、前記コンテンツの識別情報と前記キャプチャ要請情報を前記キャプチャエンジンに伝達すること
を特徴とする、請求項８に記載のサービスサーバ。
【請求項１１】
前記キャプチャエンジンでは、前記コンテンツの著作権情報を通じて前記コンテンツのキャプチャが可能であるか否かを判断し、前記コンテンツのキャプチャが可能な場合、前記コンテンツの前記イメージまたは前記ビデオをキャプチャすること
を特徴とする、請求項８に記載のサービスサーバ。
【請求項１２】
コンテンツ再生装置を通じてユーザが視聴中のコンテンツに対するキャプチャサービスを提供するキャプチャサービスシステムに前記ユーザの認証を要請する認証モジュールと、
前記認証の後、前記ユーザが前記コンテンツに対するキャプチャを要請すると、前記コンテンツ再生装置で提供される前記ユーザの識別情報または前記コンテンツの識別情報のうち少なくとも１つを含むキャプチャ要請情報を前記キャプチャサービスシステムに送信し、前記キャプチャサービスシステムから前記キャプチャ要請情報に応じてキャプチャされた前記コンテンツのイメージまたはビデオを受信するキャプチャモジュールと、
を備え、
前記キャプチャサービスシステムでは、前記ユーザが登録されたソーシャルサービスサーバとの連動によって前記ユーザを認証し、前記コンテンツに対するキャプチャ要請に応じて前記ソーシャルサービスサーバから前記ユーザのプロフィール情報を獲得した後に前記コンテンツの前記イメージまたは前記ビデオをキャプチャし、前記ユーザに前記キャプチャされた前記イメージまたは前記ビデオに対する使用権限を提供すること
を特徴とする、端末。
【請求項１３】
再生中のコンテンツに対するキャプチャサービスを提供するキャプチャサービスシステムのキャプチャサービス方法であって、前記キャプチャサービスシステムは、サービスサーバとメディアサーバとで構成され、
前記キャプチャサービス方法は、
前記サービスサーバにおいて、ユーザが第１端末で再生中のコンテンツに対して第２端末を利用してキャプチャを要請すると、前記第２端末または前記ユーザが登録されたソーシャルサービスサーバから前記ユーザのプロフィール情報を獲得するステップと、
前記メディアサーバにおいて、前記ユーザがキャプチャを要請した前記コンテンツの著作権情報に応じて前記コンテンツのイメージまたはビデオをキャプチャした後、前記キャプチャされた前記イメージまたは前記ビデオを前記サービスサーバに伝達するステップと、
前記サービスサーバにおいて、前記メディアサーバから前記キャプチャされた前記イメージまたは前記ビデオを受信して前記第２端末に提供するステップと、
を含み、
前記プロフィール情報の獲得に応じて前記ユーザに前記キャプチャされた前記イメージまたは前記ビデオに対する使用権限が付与されること
を特徴とする、キャプチャサービス方法。
【請求項１４】
前記キャプチャサービス方法は、
前記サービスサーバにおいて、前記ユーザの要請に応じて前記キャプチャされた前記イメージまたは前記ビデオを前記ソーシャルサービスサーバに提供するステップをさらに含む、請求項１３に記載のキャプチャサービス方法。
【発明の詳細な説明】
【技術分野】
【０００１】
本発明の実施形態は、セカンドデバイスを利用してＴＶスクリーン上の場面をキャプチャし、これをソーシャルサービスに共有することができる方法に関する。
【背景技術】
【０００２】
視聴者がＴＶプログラムをはじめとしたコンテンツを視聴した後、視聴者の印象に残った部分または興味を感じた部分を別途提供することにより、コンテンツの活用を最大化することができる。
【０００３】
ソーシャルサービスの活性化に伴い、ＴＶスクリーン上のお気に入りの場面をキャプチャし、これをソーシャルサービスに共有しようとするユーザの要求が増加している。視聴者は、単にコンテンツを消費するだけでなく、視聴のレビューなどの上述したコンテンツに関するメッセージを作成し、作成されたメッセージをソーシャルサービス内で掲示することによって情報を生成および提供する役割ができるようになった。
【０００４】
韓国公開特許第１０−２０１１−００８５８２９号公報および第１０−２０１１−００５２１３７号公報などは、ソーシャルネットワークに基づいてコンテンツを共有する方法および装置を開示している。
【０００５】
視聴者は自身が視聴したコンテンツに関する感想または意見などを含むメッセージを、自身が使用するソーシャルサービスに掲示することができる。このようなメッセージは、前記コンテンツの特定された一部、すなわち前記コンテンツの特定のクリップと関連するものである。
【０００６】
しかし、現在はＴＶ上でスクリーンをキャプチャするための方法が極めて制限的であり、これをスマートフォンなどによって撮影する形態での利用が可能ではあるが、これは著作権の争点が発生するという問題がある。
【発明の概要】
【発明が解決しようとする課題】
【０００７】
ユーザがセカンドデバイスを利用して現在視聴中のＴＶコンテンツに対してキャプチャを要請するとき、コンテンツ提供者にユーザ情報を提供し、コンテンツ提供者が該当するイメージを生成した後、該当ユーザのソーシャルサービスで利用できるように提供する方法およびそのシステムを提供する。
【課題を解決するための手段】
【０００８】
本発明の一実施形態によると、ユーザが第１端末で再生中のコンテンツに対して第２端末を利用してキャプチャを要請すると、前記第２端末または前記ユーザが登録されたソーシャルサービスサーバから前記ユーザのプロフィール情報を獲得するサービスサーバと、前記ユーザがキャプチャを要請した前記コンテンツの著作権情報に応じて前記コンテンツのイメージまたはビデオをキャプチャするメディアサーバと、を備えるキャプチャサービスシステムを提供する。このとき、前記サービスサーバは、前記メディアサーバから前記キャプチャされたイメージまたはビデオを受信して前記第２端末に提供してもよい。
【０００９】
前記サービスサーバは、前記第２端末から前記コンテンツの識別情報を含んだキャプチャ要請情報を受信し、前記キャプチャ要請情報を前記メディアサーバに伝達し、前記メディアサーバは、前記識別情報に該当する前記コンテンツのイメージまたはビデオをキャプチャしてもよい。
【００１０】
前記サービスサーバは、前記第２端末から前記ユーザの識別情報を含んだキャプチャ要請情報を受信し、前記第１端末に前記コンテンツを提供するコンテンツサーバとの連動によって前記ユーザの識別情報を利用して前記ユーザがキャプチャを要請した前記コンテンツの識別情報を確認した後、前記コンテンツの識別情報と前記キャプチャ要請情報を前記メディアサーバに伝達し、前記メディアサーバは、前記サービスサーバから伝達されたコンテンツの識別情報に該当する前記コンテンツのイメージまたはビデオをキャプチャしてもよい。
【００１１】
前記サービスサーバは、前記ユーザの要請に応じて前記キャプチャされたイメージまたはビデオを前記ソーシャルサービスサーバに提供してもよい。
【００１２】
前記ソーシャルサービスサーバでは、前記キャプチャされたイメージまたはビデオがエンベデッド（ｅｍｂｅｄｄｅｄ）形態またはリンクされたコンテンツ（ｌｉｎｋｅｄ  ｃｏｎｔｅｎｔ）形態で表示されてもよい。
【００１３】
前記サービスサーバは、前記第２端末が前記ユーザに対して認証の要請をするときに、前記ソーシャルサービスサーバとの連動によって前記ユーザを認証する認証モジュールと、前記第２端末または前記ソーシャルサービスサーバから前記認証されたユーザのプロフィール情報を獲得するプロフィール獲得モジュールと、前記ユーザの認証および前記キャプチャされたイメージまたはビデオの表示のために前記ソーシャルサービスサーバと連携するインタフェースを提供するソーシャルサービスインタフェースと、前記コンテンツのキャプチャのために前記メディアサーバと連携するインタフェースを提供するキャプチャインタフェースと、前記ソーシャルサービスインタフェースおよび前記キャプチャインタフェースを通じて要請および応答されるサービス利用情報に対する統計情報を収集する統計モジュールと、を備えてもよい。
【００１４】
前記メディアサーバは、前記キャプチャされたイメージまたはビデオの提供のために前記サービスサーバと連携するインタフェースを提供するキャプチャ表示インタフェースと、前記キャプチャ表示インタフェースを通じて要請および応答されるサービス利用情報に対する統計情報を収集する統計モジュールと、前記コンテンツの著作権情報を把握して前記コンテンツのキャプチャが可能であるか否かを判断する権限判断モジュールと、前記コンテンツのキャプチャが可能な場合、前記コンテンツのイメージまたはビデオをキャプチャするコンテンツキャプチャエンジンを備えてもよい。
【００１５】
本発明の他の一実施形態によると、第１端末を通じてコンテンツを視聴しているユーザが第２端末を利用して認証を要請すると、前記ユーザが登録されたソーシャルサービスサーバとの連動によって前記ユーザを認証する認証モジュールと、前記第２端末または前記ソーシャルサービスサーバから前記認証されたユーザのプロフィール情報を獲得するプロフィール獲得モジュールと、前記第２端末から、前記ユーザが前記視聴中のコンテンツに対するキャプチャ要請情報が受信されると、前記キャプチャ要請情報をキャプチャエンジンに伝達し、前記キャプチャエンジンから前記キャプチャ要請情報に応じてキャプチャされた前記コンテンツのイメージまたはビデオを受信し、前記第２端末または前記ソーシャルサービスサーバのうち少なくとも１つに提供するキャプチャインタフェースと、を備えるサービスサーバを提供する。このとき、前記ユーザに前記コンテンツのイメージまたはビデオに対する使用権限が付与されてもよい。
【００１６】
前記キャプチャ要請情報には、前記第２端末の要請に応じて前記第１端末で提供される前記ユーザの識別情報または前記コンテンツの識別情報のうち少なくとも１つが含まれてもよい。
【００１７】
前記キャプチャ要請情報には、前記第２端末の要請に応じて前記第１端末で提供される前記ユーザの識別情報が含まれてもよく、このとき、前記キャプチャインタフェースは、前記第１端末に前記コンテンツを提供するコンテンツサーバとの連動によって前記ユーザの識別情報を利用して前記ユーザがキャプチャを要請した前記コンテンツの識別情報を確認した後、前記コンテンツの識別情報と前記キャプチャ要請情報を前記キャプチャエンジンに伝達してもよい。
【００１８】
前記キャプチャエンジンでは、前記コンテンツの著作権情報を通じて前記コンテンツのキャプチャが可能であるか否かを判断し、前記コンテンツのキャプチャが可能な場合、前記コンテンツのイメージまたはビデオをキャプチャしてもよい。
【００１９】
本発明のさらに他の実施形態によると、コンテンツ再生装置を通じてユーザが視聴中のコンテンツに対するキャプチャサービスを提供するキャプチャサービスシステムに前記ユーザの認証を要請する認証モジュールと、前記認証の後に前記ユーザが前記コンテンツに対するキャプチャを要請すると、前記コンテンツ再生装置で提供される前記ユーザの識別情報または前記コンテンツの識別情報のうち少なくとも１つを含むキャプチャ要請情報を前記キャプチャサービスシステムに送信し、前記キャプチャサービスシステムから前記キャプチャ要請情報に応じてキャプチャされた前記コンテンツのイメージまたはビデオを受信するキャプチャモジュールと、を備える端末を提供する。このとき、前記キャプチャサービスシステムでは、前記ユーザが登録されたソーシャルサービスサーバとの連動によって前記ユーザを認証し、前記コンテンツに対するキャプチャ要請に応じて前記ソーシャルサービスサーバから前記ユーザのプロフィール情報を獲得した後、前記コンテンツのイメージまたはビデオをキャプチャし、前記ユーザに前記キャプチャされたイメージまたはビデオに対する使用権限を提供してもよい。
【００２０】
本発明のさらに他の実施形態によると、再生中のコンテンツに対するキャプチャサービスを提供するキャプチャサービスシステムのキャプチャサービス方法であって、前記キャプチャサービスシステムは、サービスサーバとメディアサーバとで構成され、前記キャプチャサービス方法は、前記サービスサーバにおいて、ユーザが第１端末で再生中のコンテンツに対して第２端末を利用してキャプチャを要請すると、前記第２端末または前記ユーザが登録されたソーシャルサービスサーバから前記ユーザのプロフィール情報を獲得するステップと、前記メディアサーバにおいて、前記ユーザがキャプチャを要請した前記コンテンツの著作権情報に応じて前記コンテンツのイメージまたはビデオをキャプチャした後、前記キャプチャされたイメージまたはビデオを前記サービスサーバに伝達するステップと、前記サービスサーバにおいて、前記メディアサーバから前記キャプチャされたイメージまたはビデオを受信して前記第２端末に提供するステップと、を含んでもよい。このとき、前記プロフィール情報の獲得に応じて前記ユーザに前記キャプチャされたイメージまたはビデオに対する使用権限が付与されてもよい。
【発明の効果】
【００２１】
ユーザは自身のソーシャルサービス上に登録された自身のプロフィール情報をコンテンツ提供者に提供し、自身が所望するコンテンツのキャプチャイメージまたはビデオ情報を獲得し、自身のソーシャルサービス上で活用することができる。
【００２２】
コンテンツ提供者は、不法的に行われるコンテンツキャプチャに関して合法的に問題を解決すると同時に、該当のコンテンツを要請したユーザおよび活用の内訳を統計情報として収集することにより、将来的にはコンテンツ基盤の大容量データ（ｂｉｇ  ｄａｔａ）構築時に活用することができ、ソーシャルサービス上でのコンテンツ推薦環境に利用することができる。
【図面の簡単な説明】
【００２３】
【図１】本発明の一実施形態に係るキャプチャサービスシステムおよび前記システムと連関する個体を説明するための図である。
【図２】本発明の一例に係るコンテンツ再生装置（第１端末）を説明するための図である。
【図３】本発明の一例に係るキャプチャ要請のための端末（第２端末）を説明するための図である。
【図４】本発明の一例に係るサービスサーバを説明するための図である。
【図５】本発明の一例に係るメディアサーバを説明するための図である。
【図６】本発明の一例に係るソーシャルサービスサーバを説明するための図である。
【図７】本発明の一例に係るコンテンツキャプチャプロセスを説明するための図である。
【図８】本発明の一例に係るキャプチャサービス全般の動作プロセスを説明するための図である。
【発明を実施するための形態】
【００２４】
以下、本発明の実施形態について、添付の図面を参照しながら詳細に説明する。
【００２５】
図１は、本発明の一実施形態に係るキャプチャサービスシステムおよび前記システムと連関する個体を説明するための図である。
【００２６】
本明細書において、コンテンツ（ｃｏｎｔｅｎｔ）は、マルチメディア（ｍｕｌｔｉｍｅｄｉａ）コンテンツを意味してもよい。例えば、コンテンツは、テレビ（ｔｅｌｅｖｉｓｉｏｎ；ＴＶ）プログラム（ｐｒｏｇｒａｍ）、マルチメディアファイル、アプリケーション（ａｐｐｌｉｃａｔｉｏｎ）（または、アプリ（ａｐｐ））、ウェブ（ｗｅｂ）ページ（ｐａｇｅ）などを意味してもよい。
【００２７】
キャプチャサービスシステム１００は、コンテンツと関連するキャプチャサービス（ｃａｐｔｕｒｅ  ｓｅｒｖｉｃｅ）を提供するシステムであって、コンテンツ再生装置１４０上に提供されるコンテンツを別途の端末１５０を利用して容易にキャプチャし、これをソーシャルサービスサーバ１６０上に共有するための方法を提供する。
【００２８】
キャプチャサービスシステム１００は、サービスサーバ１１０およびメディアサーバ１２０を備える。このとき、キャプチャサービスのために、サービスサーバ１１０は、端末１５０およびソーシャルサービスサーバ１６０とのインタフェースを提供し、メディアサーバ１２０は、コンテンツサーバ１３０とのインタフェースを提供する。基本的に、キャプチャサービスシステム１００は、ユーザとの情報取引関係によってユーザに合法的なキャプチャイメージを提供しようとする。すなわち、ユーザは自身の個人情報を提供し、この対価として該当するコンテンツのイメージ情報を合法的に利用してもよい。
【００２９】
コンテンツサーバ１３０は、コンテンツを提供するため、コンテンツデータベースおよびメタデータデータベースを管理する。このとき、コンテンツデータベースは、コンテンツおよびコンテンツを提供するための情報を管理してもよい。メタデータデータベースは、コンテンツのメタデータを管理してもよい。また、コンテンツサーバ１３０は、コンテンツに対するアクセスを提供するオープンＡＰＩセンタ（Ｏｐｅｎ  Ａｐｐｌｉｃａｔｉｏｎ  Ｐｒｏｇｒａｍｍｉｎｇ  Ｉｎｔｅｒｆａｃｅ  Ｃｅｎｔｅｒ）を支援する。コンテンツサーバ１３０は、コンテンツデータベースおよびメタデータデータベースを使用することにより、サービスサーバ１１０、メディアサーバ１２０、およびコンテンツ再生装置１４０にコンテンツおよび前記コンテンツのメタデータを提供してもよい。
【００３０】
コンテンツ再生装置１４０は、ユーザがコンテンツサーバ１３０から送信されたコンテンツを視聴するために前記のコンテンツを再生する装置である。本明細書において、コンテンツ再生装置１４０は「第１端末」と表記してもよい。例えば、コンテンツ再生装置１４０は、（スマート（ｓｍａｒｔ））ＴＶ、個人用コンピュータ（Ｐｅｒｓｏｎａｌ  Ｃｏｍｐｕｔｅｒ；ＰＣ）、ノートパンコン（ｎｏｔｅｂｏｏｋ）、インターネットプロトコルＴＶ（Ｉｎｔｅｒｎｅｔ  Ｐｒｏｔｏｃｏｌ  Ｔｅｌｅｖｉｓｉｏｎ；ＩＰＴＶ）、セットトップ（ｓｅｔ−ｔｏｐ）、携帯電話（ｍｏｂｉｌｅ  ｐｈｏｎｅ）、スマートフォン（ｓｍａｒｔｐｈｏｎｅ）など、メディアコンテンツを再生することができる任意の装置を含んでもよい。
【００３１】
端末１５０は、ユーザがキャプチャサービスシステム１００上にキャプチャを要請してソーシャルサービスサーバ１６０上にメッセージを作成するために操作する装置である。本明細書において、端末１５０は「第２端末」と表記してもよい。例えば、端末１５０は、スマートＴＶ、ＰＣ、ノートパンコン、ＩＰＴＶ、スマートフォンなど、キャプチャサービスシステム１００およびソーシャルサービスサーバ１６０との通信が可能な任意の装置を含んでもよい。端末１５０は、コンテンツ再生装置１４０で再生中のコンテンツに対してキャプチャを要請し、該当コンテンツのキャプチャされたイメージ情報を受信する機能と、ユーザが、ソーシャルサービスサーバ１６０が提供するソーシャルサービス上に前記キャプチャされたイメージ情報を含んだメッセージを作成する機能を実行する装置である。すなわち、ユーザは、コンテンツ再生装置１４０を通じて視聴するコンテンツに対して端末１５０を使用し、キャプチャサービスによって該当コンテンツのイメージ情報をキャプチャした後、キャプチャされたイメージ情報を含んで該当コンテンツに対する内容（または、感想など）をソーシャルサービス内で記述してもよい。
【００３２】
ソーシャルサービスサーバ１６０は、ユーザにカフェやブログのように他人と情報を共有することができるソーシャルサービスを提供するサーバである。このとき、ソーシャルサービスサーバ１６０は、ユーザが作成したメッセージを掲示してもよい。
【００３３】
上述した個体（ｅｎｔｉｔｙ）１００、１３０、１４０、１５０、１６０は、相互間に有無線ネットワーク（ｎｅｔｗｏｒｋ）で接続されてもよい。例えば、コンテンツ再生装置１４０および端末１５０は、ホーム（ｈｏｍｅ）ネットワークなどのローカル（ｌｏｃａｌ）ネットワークを通じて接続されてもよい。また、１）コンテンツサーバ１３０およびメディアサーバ１２０、２）サービスサーバ１１０およびメディアサーバ１２０、３）端末１５０およびサービスサーバ１１０、４）サービスサーバ１１０およびソーシャルサービスサーバ１６０、５）端末１５０およびソーシャルサービスサーバ１６０などの各ペアは、ブロードバンド（ｂｒｏａｄｂａｎｄ）ネットワークを通じて接続されてもよい。コンテンツサーバ１３０は（特に、コンテンツがＴＶ番組である場合）、放送（ｂｒｏａｄｃａｓｔ）を通じてコンテンツ再生装置１４０にコンテンツを送信してもよい。この場合、コンテンツサーバ１３０は放送サーバである。また、コンテンツサーバ１３０は、放送の他にも、マルチキャスト（ｍｕｌｔｉｃａｓｔ）またはユニキャスト（ｕｎｉｃａｓｔ）などの方式によってコンテンツ再生装置１４０にコンテンツを送信してもよい。
【００３４】
本実施形態において、１つ以上の個体は、同じ物理的装置であってもよく、１つの物理的装置であってもよい。例えば、コンテンツ再生装置１４０および端末１５０は、同じ物理的装置で構成されてもよい。また、サービスサーバ１１０およびメディアサーバ１２０は、同じ物理的装置であってもよく、１つの物理的装置で構成されてもよい。
【００３５】
以下では、ＶＯＤ（Ｖｉｄｅｏ  Ｏｎ  Ｄｅｍａｎｄ）またはブロードキャスト形態のＴＶ番組をコンテンツの一例として限定して説明する。
【００３６】
図２は、本発明の一例に係るコンテンツ再生装置（第１端末）を説明するための図である。コンテンツ再生装置２００は、ＥＰＧ情報モジュール２１０および再生情報インタフェース２２０を備えて構成されてもよい。
【００３７】
図２には示していないが、コンテンツ再生装置２００には、ユーザが視聴しようとするコンテンツをコンテンツサーバに要請して受信する手段と、コンテンツのビデオ再生およびオーディオ再生のための手段が基本的に含まれる。
【００３８】
ＥＰＧ情報モジュール２１０は、コンテンツサーバから受信された、コンテンツに該当する信号（例えば、ＭＰＥＧ−ＴＳ）からＥＰＧ（Ｅｌｅｃｔｒｏｎｉｃ  Ｐｒｏｇｒａｍ  Ｇｕｉｄｅ）情報を抽出する役割を行う。
【００３９】
再生情報インタフェース２２０は、ＥＰＧ情報モジュール２１０と連携するインタフェースを提供するものであって、現在再生中のコンテンツに関する再生情報（Ｐｌａｙ  Ｉｎｆｏｒｍａｔｉｏｎ）を知らせるインタフェース機能を提供する。また、コンテンツ再生装置２００は、ユーザ情報を管理し、必要によってはコンテンツを視聴中のユーザ情報（例えば、ユーザＩＤなど）を提供してもよい。
【００４０】
図３は、本発明の一例に係るキャプチャ要請のための端末（第２端末）を説明するための図である。端末３００は、認証モジュール３１０およびキャプチャモジュール３２０を備えて構成されてもよい。認証モジュール３１０およびキャプチャモジュール３２０は、スマートフォン（ｓｍａｒｔ  ｐｈｏｎｅ）やタブレット（ｔａｂｌｅｔ）のようなモバイル端末専用のアプリケーション（例えば、スマートフォンアプリケーション、フィーチャフォンＶＭ（ｖｉｒｔｕａｌ  ｍａｃｈｉｎｅ）などの形態）で構成されてもよい。これは、端末３００で駆動される少なくとも１つのプロセッサによって実行されるように構成されてもよい。
【００４１】
認証モジュール３１０は、外部ソーシャルサービスとの連動のための認証の手続きを提供するモジュールである。認証モジュール３１０は、コンテンツ再生装置を通じてユーザが視聴中のコンテンツに対するキャプチャサービスを提供するキャプチャサービスシステムであって、ユーザの認証を要請してもよい。認証モジュール３１０は、キャプチャサービスシステムのサードパーティ（Ｔｈｉｒｄ  Ｐａｒｔｙ）サービスに応じて認証時に該当キーを端末３００（すなわち、該当アプリケーション）上に格納してもよく、これによって今後はログイン手続きをせずにキャプチャサービスとの連動が可能となる。
【００４２】
キャプチャモジュール３２０は、コンテンツ再生装置によるコンテンツ視聴中にユーザのキャプチャ要請情報を受け入れるモジュールである。キャプチャモジュール３２０は、キャプチャ要請およびキャプチャされたサムネイルイメージ（Ｔｈｕｍｂｎａｉｌ  Ｉｍａｇｅ）（またはビデオ）を端末３００上で提供できなければならず、該当コンテンツに関するテキストおよび位置情報などをソーシャルサービスサーバ上にポスティング（Ｐｏｓｔｉｎｇ）する機能を提供する。キャプチャモジュール３２０は、ユーザがコンテンツに対するキャプチャを要請すると、コンテンツ再生装置で提供されるユーザの識別情報またはコンテンツの識別情報のうち少なくとも１つを含むキャプチャ要請情報をキャプチャサービスシステムに送信する機能と、キャプチャサービスシステムからキャプチャ要請情報に応じてキャプチャされたイメージを受信して端末上に提供する機能を支援する。
【００４３】
図４は、本発明の一例に係るサービスサーバを説明するための図である。
【００４４】
サービスサーバ４００は、キャプチャサービスシステムの構成であって、ユーザがコンテンツ再生装置で再生中のコンテンツに対してセカンドデバイスである端末を利用してキャプチャを要請すると、ユーザ認証を経た後、端末またはソーシャルサービスサーバから該当するユーザのプロフィール情報を獲得する役割を提供する。
【００４５】
図４に示すように、サービスサーバ４００は、認証モジュール４１０、ソーシャルサービスインタフェース４２０、プロフィール獲得モジュール４３０、キャプチャインタフェース４４０、統計モジュール４５０、ユーザプロフィールデータベース４６０、キャプチャ要請情報データベース４７０、および統計情報データベース４８０を備えて構成されてもよい。
【００４６】
認証モジュール４１０は、外部ソーシャルサービスとの連動のために端末環境で認証要請するとき、外部オープン認証（Ｏｐｅｎ  Ａｕｔｈｏｒｉｚａｔｉｏｎ）基盤のシステムと連動するためのモジュールである。認証モジュール４１０は、コンテンツ再生装置を通じてコンテンツを視聴しているユーザが端末を利用して認証を要請すると、該当するユーザが登録されたソーシャルサービスサーバとの連動によってユーザ認証手順を実行してもよい。これは、ユーザの利便性のためにオープン認証するとき、該当キー（Ｏａｕｔｈ  Ｋｅｙ）をサービスサーバ４００上に格納する機能を提供し、キーの有効期間中は再ログインの手続きをすることなく外部ソーシャルサービスとの連動が可能となる。
【００４７】
ソーシャルサービスインタフェース４２０は、外部ソーシャルサービスと連携するインタフェースの単一の窓口機能であって、キャプチャされたイメージの外部表示連動インタフェースの役割およびユーザ認証のインタフェース機能を提供する。このとき、ソーシャルサービスインタフェース４２０を通じて提供されるサービス要請および応答は統計モジュール４５０に提供される。
【００４８】
プロフィール獲得モジュール４３０は、ユーザのプロフィール情報を端末（すなわち、端末上の該当のアプリケーション）またはユーザが利用中の外部ソーシャルサービスから収集する機能を提供する。すなわち、プロフィール獲得モジュール４３０は、端末またはソーシャルサービスサーバから認証が完了したユーザのプロフィール情報を獲得してもよい。このとき、獲得したプロフィール情報は、ユーザプロフィールデータベース４６０に格納されて管理される。
【００４９】
キャプチャインタフェース４４０は、ユーザのキャプチャ要請時に呼び出されるインタフェースであって、コンテンツのキャプチャのためにメディアサーバと連携するインタフェースを提供する。キャプチャインタフェース４４０は、ユーザがキャプチャを要請したコンテンツのプログラム情報および時間情報をキャプチャ要請情報データベース４７０に格納する機能を提供する。このとき、キャプチャ要請情報には、端末の要請に応じてコンテンツ再生装置で提供されるユーザの識別情報またはコンテンツの識別情報のうち少なくとも１つが含まれてもよい。キャプチャインタフェース４４０は、端末からユーザが視聴中のコンテンツに対するキャプチャ要請情報が受信されると、キャプチャ要請情報をキャプチャエンジンを提供するメディアサーバに伝達し、キャプチャエンジンでキャプチャ要請情報に応じてキャプチャされたイメージをメディアサーバから受信し、該当する端末またはソーシャルサービスサーバのうち少なくとも１つを提供する役割を有する。
【００５０】
統計モジュール４５０は、ソーシャルサービスインタフェース４２０およびキャプチャインタフェース４４０を通じて要請および応答されるサービス利用情報（キャプチャ要請およびキャプチャされたコンテンツの表示）に対して統計情報を収集する機能を提供する。このとき、収集された統計情報は、統計情報データベース４８０に格納されて管理される。
【００５１】
図５は、本発明の一例に係るメディアサーバを説明するための図である。
【００５２】
メディアサーバ５００は、キャプチャサービスシステムの構成であって、ユーザが端末を通じてキャプチャを要請したコンテンツの著作権情報に応じ、該当するコンテンツのイメージまたはビデオをキャプチャする役割を提供する。本明細書において、キャプチャイメージ、サムネイルイメージ、キャプチャされたイメージなどは、ユーザが視聴中のコンテンツでキャプチャされたイメージまたはビデオに該当するものであって、すべて同じ意味であってもよい。
【００５３】
図５に示すように、メディアサーバ５００は、キャプチャ表示ＡＰＩ５１０、統計モジュール５２０、権限判断モジュール５３０、コンテンツキャプチャエンジン５４０、権限情報データベース５５０、編成情報データベース５６０、キャプチャイメージデータベース５７０、および統計情報データベース５８０を備えて構成されてもよい。
【００５４】
キャプチャ表示ＡＰＩ５１０（すなわち、キャプチャ表示インタフェース）は、コンテンツ提供者のメディアサーバで外部インタフェースを担当する機能を提供し、キャプチャされたイメージの提供のためにサービスサーバと連携するインタフェースを提供する。すなわち、キャプチャ表示ＡＰＩ５１０は、コンテンツに対するキャプチャ要請およびそれに対する応答機能を提供する。
【００５５】
統計モジュール５２０は、メディアサーバ５００を通じて要請および応答される情報に対して統計情報を生成する機能を提供する。言い換えれば、統計モジュール５２０は、キャプチャ表示ＡＰＩ５１０を通じて要請および応答されるサービス利用情報に対する統計情報を収集してもよい。このとき、収集された統計情報は、統計情報データベース５８０に格納されて管理される。
【００５６】
権限判断モジュール５３０は、権限情報データベース５５０に格納されたコンテンツ別の著作権情報（Ｒｉｇｈｔｓ）を把握し、該当するコンテンツのキャプチャサービスの提供が可能であるか否かなどに関する判断機能を提供する。特定場面（主要シナリオ部分）などに対してキャプチャを制限するための方法としては、著作権が１つのコンテンツ内に個別に存在する場合は、これに応じて該当の場面に対するキャプチャサービスを制限してもよい。
【００５７】
コンテンツキャプチャエンジン５４０は、該当するコンテンツのキャプチャが可能である場合、ユーザ要請によるキャプチャ要請情報に基づいて該当する場面のイメージまたはビデオをキャプチャする機能を提供する。このとき、ユーザが視聴中のコンテンツの情報を獲得するためには、キャプチャ要請情報を利用して編成情報データベース５６０を照会する、またはコンテンツ再生装置から再生情報インタフェースを通じて現在再生中のコンテンツ情報を要請および獲得してもよい。また、キャプチャされたイメージまたはビデオは、キャプチャイメージデータベース５７０に格納されて管理される。さらに、コンテンツキャプチャエンジン５４０でキャプチャされたイメージまたはビデオは、該当するユーザの端末またはソーシャルサービス上に提供されるようにサービスサーバのキャプチャインタフェースに伝達される。
【００５８】
メディアサーバ５００において、キャプチャを要請したユーザが有料コンテンツ顧客である場合、ユーザ満足度の向上のために追加のサービス（例えば、動画クリップ（ｃｌｉｐ）またはキャプチャ無制限など）を支援してもよい。
【００５９】
図６は、本発明の一例に係るソーシャルサービスサーバを説明するための図である。
【００６０】
図６に示すように、ソーシャルサービスサーバ６００は、サービスＡＰＩ６１０、ユーザプロフィールデータベース６２０、および掲示物データベース６３０を備えて構成されてもよい。
【００６１】
サービスＡＰＩ６１０は、カフェやブログなど、ユーザが自由にメッセージを掲示してこれを他人と共有することができるソーシャルサービスなどが提供されるオープンＡＰＩサービスを意味する。
【００６２】
ユーザプロフィールデータベース６２０は、ソーシャルサービスを利用するユーザのプロフィール情報を格納する。すなわち、ユーザプロフィールデータベース６２０は、サードパーティサービスが格納しているユーザのプロフィール情報を管理する。
【００６３】
掲示物データベース６３０は、ユーザの要請によってキャプチャされた後にポスティングされたコンテンツの内容を格納する。ソーシャルサービスサーバ６００上にポスティングされたキャプチャイメージを含んだ内容は、エンベデッド（ｅｍｂｅｄｄｅｄ）形態またはリンクされたコンテンツ（ｌｉｎｋｅｄ  ｃｏｎｔｅｎｔ）形態で表示されてもよく、該当のコンテンツに対するユーザ反応を収集するためにジャバスクリプトコード（Ｊａｖａ  Ｓｃｒｉｐｔ（登録商標）  Ｃｏｄｅ）またはリンク情報がイメージと共に提供されてもよい。
【００６４】
【表１】
2015517234.tif 000003
【００６５】
【表２】
2015517234.tif 000004
【００６６】
キャプチャ要請に応じて獲得するユーザのプロフィール情報として、例えば、フェイスブック（Ｆａｃｅｂｏｏｋ）の場合、ソーシャルグラフ（Ｓｏｃｉａｌ  Ｇｒａｐｈ）ＡＰＩを通じて提供されるユーザ客体（Ｕｓｅｒ  Ｏｂｊｅｃｔ）の値は表１および表２のとおりであるが、このような情報は多様なマーケティング（Ｍａｒｋｅｔｉｎｇ）に利用されてもよい。さらに、ユーザが登録した掲示物において、エンベデッドされたコンテンツまたはリンクされたコンテンツ上のレビューに対しても情報収集が可能である。
【００６７】
図７を参照しながら、キャプチャに関する主要メソッドを説明すると次のとおりとなる。
【００６８】
図７は、本発明の一例に係るコンテンツキャプチャプロセスを説明するための図である。一実施形態に係るコンテンツキャプチャプロセスは、図１〜図６を参照しながら説明したコンテンツ再生装置、端末、サービスサーバ、メディアサーバ、コンテンツサーバ、およびソーシャルサービスサーバによって実行されてもよい。
【００６９】
端末のキャプチャモジュール３２０は、ユーザがコンテンツ再生装置を通じて視聴中のコンテンツに対してキャプチャ（Ｃａｐｔｕｒｅ）を要請すると（７０１）、コンテンツ再生装置の再生情報インタフェース２２０に再生情報要請信号（ｐｌａｙＩｎｆｏＲｅｑｕｅｓｔ）を送信する（７０２）。このとき、再生情報要請信号（ｐｌａｙＩｎｆｏＲｅｑｕｅｓｔ）は、表３のようにユーザの識別情報（ｕｓｅｒＩｄ）と時間情報（ｄａｔｅｔｉｍｅ）を含んでもよい。
【００７０】
コンテンツ再生装置の再生情報インタフェース２２０は、再生情報要請信号（ｐｌａｙＩｎｆｏＲｅｑｕｅｓｔ）に応じて現在再生中のコンテンツの放送形態（ＶＯＤあるいはブロードキャスティング）を判断した後（７０３）、ブロードキャスティングである場合、ＥＰＧ情報モジュール２１０にプログラム情報要請信号（ｐｒｏｇｒａｍＩｎｆｏＲｅｑｕｅｓｔ）を伝達する（７０４）。
【００７１】
コンテンツ再生装置のＥＰＧ情報モジュール２１０は、プログラム情報要請信号（ｐｒｏｇｒａｍＩｎｆｏＲｅｑｕｅｓｔ）に対する応答（ｐｒｏｇｒａｍＩｎｆｏＲｅｓｐｏｎｓｅ）として、現在再生中のコンテンツのプログラム情報を再生情報インタフェース２２０に伝達する（７０５）。
【００７２】
これにより、コンテンツ再生装置の再生情報インタフェース２２０は、該当するコンテンツのプログラム情報が含まれた、再生情報要請信号（ｐｌａｙＩｎｆｏＲｅｑｕｅｓｔ）に対する応答（ｐｌａｙＩｎｆｏＲｅｓｐｏｎｓｅ）を端末のキャプチャモジュール３２０に提供してもよい（７０６）。このとき、応答信号（ｐｌａｙＩｎｆｏＲｅｓｐｏｎｓｅ）は、表３のように、ユーザの識別情報（ｕｓｅｒＩｄ）、コンテンツ再生情報（ｃｏｎｔｅｎＯｒｄｅｒ、ｃｏｎｔｅｎｔＩｄ、ｃｏｎｔｅｎｔＴｉｔｌｅ、ｃｈａｎｎｅｌ）、時間情報（ｄａｔｅｔｉｍｅ）を含んでもよい。
【００７３】
【表３】
2015517234.tif 000005
【００７４】
ここで、「ｐｌａｙＩｎｆｏＲｅｓｐｏｎｓｅ」において、１つのスクリーンに多数のコンテンツをみるＰＩＰ（Ｐｉｃｔｕｒｅ  Ｉｎ  Ｐｉｃｔｕｒｅ）形態を利用するとき、「ｃｏｎｔｅｎｔＯｒｄｅｒ」フィールド上に情報を記載してもよい（順序は画面レイアウト（Ｌａｙｏｕｔ）上に最上端基準、または画面サイズ基準）。また、「ｃｏｎｔｅｎｔＩｄ」の場合、ＵＲＩ構成による（ＲＦＣ４１５１）。
【００７５】
端末のキャプチャモジュール３２０でコンテンツ再生装置を通じて再生中のコンテンツのプログラム情報が正確に分かっている場合、上述したプロセス７０１〜７０６は省略してもよい。
【００７６】
サービスサーバのキャプチャインタフェース４４０は、端末のキャプチャモジュール３２０から該当のコンテンツに対するキャプチャ要請信号（ｃａｐｔｕｒｅＲｅｑｕｅｓｔ）を受信すると（７０７）、受信されたキャプチャ要請信号（ｃａｐｔｕｒｅＲｅｑｕｅｓｔ）に該当するコンテンツの識別情報（ｃｏｎｔｅｎｔＩｄ）がない場合、キャプチャ要請信号（ｃａｐｔｕｒｅＲｅｑｕｅｓｔ）に含まれた時間情報（ｄａｔｅｔｉｍｅ）とチャンネル情報（ｃｈａｎｎｅｌ）を利用してコンテンツの識別情報（ｃｏｎｔｅｎｔＩｄ）をコンテンツサーバのオープンＡＰＩセンタに再要請してもよい（７０８）。このとき、キャプチャ要請信号（ｃａｐｔｕｒｅＲｅｑｕｅｓｔ）は、ユーザの識別情報（ｕｓｅｒＩｄ）、時間情報（ｄａｔｅｔｉｍｅ）、コンテンツ情報（ｃｏｎｔｅｎｔＩｎｆｏ）を含んでもよい。ここで、「ｕｓｅｒＩＤ」はＯａｕｔｈ（Ｏｐｅｎ  Ａｕｔｈｏｒｉｚａｔｉｏｎ）キーを利用してもよく、「ｃｏｎｔｅｎｔＩｎｆｏ」は構造体形態であって、ｃｏｎｔｅｎｔＩｄ、ｃｏｎｔｅｎｔＴｉｔｌｅ、ｐｒｏｖｉｄｅｒＩｄ、ｃｈａｎｎｅｌＩｎｆｏの値を含んでもよい。
【００７７】
これにより、コンテンツサーバのオープンＡＰＩセンタは、サービスサーバのキャプチャインタフェース４４０からコンテンツ識別情報に対する要請信号（ｃｏｎｔｅｎｔＩｄＲｅｑｕｅｓｔ）が受信されると（７０９）、ユーザのコンテンツ再生装置で現在再生中のコンテンツの識別情報を応答（ｃｏｎｔｅｎｔＩｄＲｅｓｐｏｎｓｅ）してもよい（７１０）。
【００７８】
サービスサーバのキャプチャインタフェース４４０は、該当するコンテンツの識別情報（ｃｏｎｔｅｎｔＩｄ）が含まれたキャプチャ要請信号（ｃａｐｔｕｒｅＲｅｑｕｅｓｔ）をメディアサーバのキャプチャ表示ＡＰＩ５１０に伝達する（７１１）。これにより、メディアサーバでは、コンテンツキャプチャエンジンを通じて該当するコンテンツのイメージまたはビデオをキャプチャした後、キャプチャ表示ＡＰＩ５１０を通じてキャプチャ要請信号に対する応答信号（ｃａｐｔｕｒｅＲｅｓｐｏｎｓｅ）をサービスサーバに伝達する（７１２）。このとき、サービスサーバのキャプチャインタフェース４４０は、メディアサーバから提供されたキャプチャ応答信号（ｃａｐｔｕｒｅＲｅｓｐｏｎｓｅ）を該当ユーザの端末に送信する（７１３）。キャプチャ応答信号（ｃａｐｔｕｒｅＲｅｓｐｏｎｓｅ）は、表３のように、ユーザの識別情報（ｕｓｅｒＩｄ）、コンテンツ再生情報（ｃｏｎｔｅｎｔＩｄ、ｃｏｎｔｅｎｔＴｉｔｌｅ）、キャプチャ要請応答情報（ｃａｐｔｕｒｅＲｅｑｕｅｓｔ、ｃａｐｔｕｒｅＲｅｑｕｅｓｔＣｏｄｅ）を含んでもよい。ここで、「ｃａｐｔｕｒｅＲｅｑｕｅｓｔ」値はキャプチャ要請が正常に行われたかに関する値（Ｔｒｕｅ  ｏｒ  ｆａｌｓｅ）を示し、「ｃａｐｔｕｒｅＲｅｑｕｅｓｔＣｏｄｅ」値はｅｒｒｏｒ  ｃｏｄｅ（０−Ｏ．Ｋ、１−ＤＲＭ  ｎｏｔ  Ｆｒｅｅ、２−Ｓｅｒｖｅｒ  Ｅｒｒｏｒなどの値で整理）を定義してもよい。
【００７９】
図８は、本発明の一例に係るキャプチャサービス全般の動作プロセスを説明するための図である。一実施形態に係るキャプチャサービス方法は、図１〜図６を参照しながら説明した端末、サービスサーバ、メディアサーバ、およびソーシャルサービスサーバによって実行されてもよい。
【００８０】
ステップ８０１〜８０３で、端末は、キャプチャサービスに関するアプリケーションを駆動してユーザ認証を経た後、キャプチャサービスのためのユーザ情報共有に対してユーザの同意意思を入力する。このとき、ユーザ認証は、アプリケーション自体の認証または該当ユーザが利用中のソーシャルサービスとの連動による認証を意味してもよい。
【００８１】
ステップ８０４で、サービスサーバは、ユーザの端末から情報共有に対する同意意思が伝達されると、ソーシャルサービスサーバとの連動によってユーザ情報に対する認証手続きを実行する。このとき、ソーシャルサービスサーバは、サービスサーバの要請に応じ、ユーザ情報認証のために該当のユーザ情報に対する権限を把握してもよい（ステップ８０５）。
【００８２】
ステップ８０６で、サービスサーバは、ソーシャルサービスサーバとの連動によるユーザ認証が完了すると、ソーシャルサービスサーバで提供されるユーザのプロフィール情報を収集および格納する。このとき、ユーザのプロフィール情報は、該当ユーザの端末から直接収集してもよい。
【００８３】
ステップ８０７で、端末は、ユーザがコンテンツ再生装置を通じて現在視聴中のコンテンツに対して視聴情報同期化を要請してもよい。これは、ユーザが直接コンテンツ再生装置に視聴情報同期化を要請（手動要請）する、または端末を利用してコンテンツ再生装置に視聴情報同期化を要請してもよい（自動要請）。
【００８４】
ステップ８０８で、端末は、ユーザがコンテンツ再生装置を通じて視聴中のコンテンツに対してキャプチャを要請すると、ユーザの識別情報またはコンテンツの識別情報のうち少なくとも１つを含むキャプチャ要請情報をサービスサーバに送信する。
【００８５】
ステップ８０９および８１０で、サービスサーバは、端末からキャプチャ要請情報を受信し、これをサービスサーバ上の統計情報として記録した後、ユーザのキャプチャ要請情報をメディアサーバに伝達する。
【００８６】
ステップ８１１および８１２で、メディアサーバは、サービスサーバからユーザのキャプチャ要請情報を受信した後、これをメディアサーバ上の統計情報として記録する。
【００８７】
ステップ８１３および８１４で、メディアサーバは、キャプチャ要請情報を通じてコンテンツの識別情報を認識した後、該当の識別情報に該当するコンテンツの著作権情報を確認し、該当コンテンツのキャプチャが可能な場合にコンテンツに対するキャプチャを進行する。このとき、メディアサーバは、コンテンツのキャプチャ進行に対してメディアサーバ上の統計情報に記録した後、キャプチャされたイメージをサービスサーバに伝達する。これにより、サービスサーバは、メディアサーバでキャプチャされたイメージを、キャプチャを要請したユーザの端末に提供してもよい。サービスサーバは、ユーザが自身のプロフィール情報を提供した対価として、メディアサーバで提供したキャプチャイメージに対して合法的な使用権限をユーザに付与してもよい。
【００８８】
ステップ８１５で、端末は、サービスサーバを通じてメディアサーバから提供されたキャプチャイメージを端末上に格納する。このとき、キャプチャサービスに関するアプリケーションでは、ソーシャルサービスによるキャプチャイメージの使用の可否を質疑する（ステップ８１６）。
【００８９】
ステップ８１７および８１８で、端末は、ユーザがソーシャルサービスを通じてキャプチャイメージを利用しようとする場合、キャプチャイメージに対する使用情報を端末上の統計情報として記録した後、該当するキャプチャイメージをユーザが利用するソーシャルサービス上にアップロードしてもよい。このとき、キャプチャイメージは、端末からソーシャルサービスに直接アップロードしたり、サービスサーバから端末を通じたユーザの要請に応じてソーシャルサービスにアップロードしてもよい。ソーシャルサービスサーバでは、端末またはサービスサーバからキャプチャイメージを受信し、該当のキャプチャイメージが含まれた掲示物を生成して記載してもよい（ステップ８１９）。また、ソーシャルサービスサーバは、ソーシャルサービス上でユーザと関係が設定された友達から該当ユーザの掲示物が照会される場合、このような照会情報が端末上の統計情報として記録されるように該当の照会情報を端末に提供する（ステップ８２０）。
【００９０】
図８に関し、キャプチャサービスを提供する方法は、図１〜図７を参照しながら説明したキャプチャサービスシステムの動作に基づき、より短縮された動作または追加の動作を含んでもよい。また、２つ以上の動作が組み合わされてもよく、動作の順序が変更されてもよい。
【００９１】
このように、本発明の実施形態によると、ユーザとの情報取引関係によってユーザに合法的なキャプチャイメージを提供することができる。言い換えれば、ユーザは自身の個人情報を提供し、この対価として該当コンテンツのイメージ情報を合法的に利用することができる。
【００９２】
本発明の実施形態に係る方法は、多様なコンピュータ手段によって実行が可能なプログラム命令（ｉｎｓｔｒｕｃｔｉｏｎ）形態で実現されてコンピュータで読み取り可能な媒体に記録されてもよい。コンピュータで読み取り可能な媒体は、プログラム命令、データファイル、データ構造などを単独または組み合わせて含んでもよい。媒体に記録されるプログラム命令は、本発明のために特別に設計されて構成されたものであってもよく、コンピュータソフトウェア当業者に公知されて使用可能なものであってもよい。また、上述したファイルシステムは、コンピュータで読み取り可能な記録媒体に記録されてもよい。
【００９３】
以上のように、実施形態を限定された実施形態と図面に基づいて説明したが、本発明は上述した実施形態に限定されるものではなく、本発明が属する分野において通常の知識を有する者であれば、上述した記載から多様な修正および変形が可能である
【００９４】
したがって、本発明の範囲は上述した実施形態に限定されて定められてはならず、添付する特許請求の範囲だけでなく、この特許請求の範囲と均等なものによって定められなければならない。
【図１】
2015517234.tif 000006
【図２】
2015517234.tif 000007
【図３】
2015517234.tif 000008
【図４】
2015517234.tif 000009
【図５】
2015517234.tif 000010
【図６】
2015517234.tif 000011
【図７】
2015517234.tif 000012
【図８】
2015517234.tif 000013
【国際調査報告】
2015517234.tif 000014
2015517234.tif 000015
2015517234.tif 000016
2015517234.tif 000017